【事件の表示】
　特願２００２−５４０５４０「三次元の検体内の細胞を選択的に標的化する方法およびデバイス」拒絶査定不服審判事件〔平成１４年　５月１６日国際公開、ＷＯ０２／３７９３８、平成１６年　４月３０日国内公表、特表２００４−５１２８４５〕について、次のとおり審決する。
【結　論】
　本件審判の請求は、成り立たない。
【理　由】
第１　手続の経緯 
　本願は，平成１３年１０月２４日（ パリ条約による優先権主張　平成１２年１０月２４日，米国）を国際出願日とする出願であって，平成１９年１１月２１日付けで拒絶理由が通知され，平成２０年５月２６日に意見書及び手続補正書が提出されたが，同年６月１３日付けで拒絶査定がなされ，これに対して，同年９月１６日に拒絶査定不服審判が請求され，同日付けで手続補正がなされたものである。
　その後，当審により平成２４年３月５日付け（発送日：同年３月６日）で拒絶理由が通知され，その指定期間内である同年６月６日に意見書及び手続補正書が提出されたものである。
　
第２　本願発明
　本願請求項１〜３６に係る発明は，平成２４年６月６日付け手続補正により補正された明細書及び図面（以下，「本願明細書」という。）の記載からみて，特許請求の範囲の請求項１〜３６に記載されたとおりの事項により特定される発明であると認める。
　そして，その請求項１に係る発明（以下，「本願発明」という。）は，次のとおりである。
「【請求項１】　生物学的検体中の所定の細胞に電磁的に影響を及ぼす方法であって，以下の工程：
（Ｉ）コンピュータを用いて，以下：
（ａ）該検体の複数の同一でない二次元断面表示を得る工程であって，該所定の細胞は該断面表示の少なくとも１つにおいて識別可能であり，該所定の細胞は，選択マーカーまたは形態学的特徴の存在または非存在により識別可能である，工程と，
（ｂ）該複数の断面二次元表示を組み合わせて，該検体の三次元表示を作成する工程と，
（ｃ）該三次元表示に基づいて，該所定の細胞を三次元にて位置決めする工程を行う工程；ならびに，
（ＩＩ）該検体内の焦点体積に対して電磁放射の焦点を合わせる工程であって，該検体中の該所定の細胞は，該焦点体積内に配置され，該焦点体積内の放射は，該焦点体積内の該検体中の該所定の細胞にのみ影響を及ぼし，該焦点体積内の該検体中の該所定の細胞は，影響を受けない検体により取り囲まれており，１分あたり，位置決めされた細胞を含有する該検体の少なくとも１０の別個の部分が，電磁的に影響を及ぼされる，工程，
とを含む方法。」
　
第３　当審の拒絶理由の概要
　当審の拒絶理由の概要は，概ね，請求項１〜４１に係る発明は，その出願前日本国内又は外国において頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない，というものである。
　　　　　　　　　　　　　　　　記　　　
刊行物１：特開平３−７６５６９号公報
刊行物Ａ：特表平１０−５０２４６６号公報
刊行物Ｂ：特開平８−１６０３０９号公報
刊行物Ｃ：特開平７−１７４９７７号公報
刊行物Ｄ：特開２０００−２７５５４１号公報
刊行物Ｅ：国際公開第９８／４２３５６号
　
第４　引用刊行物記載の事項
　なお，下線は当審にて付記したものである。
１　刊行物１記載の事項
（刊１−１）「２．特許請求の範囲
（１）エキシマレーザ装置を備えたレーザー装置部および超精密圧電素子モーターを備えたレーザ光照射部位微小位置決め装置部とともに画像処理装置部を有し，これらのレーザー装置部，レーザ光照射部位微小位置決め装置部および画像処理装置部を制御するマイクロコンピュータを備えてなることを特徴する細胞プロセシング装置。」（１頁左下欄４〜１１行　特許請求の範囲請求項１）
　
（刊１−２）「なお，このようなレーザー装置部（Ａ）において，レーザー光のスポットサイズやパルスエネルギー等のレーザー光照射条件の調整には常法を使用することができる。たとえば，スポットサイズの調整はビームエクスパンダー（３）により行うことができ，その際のスポットサイズの測定は，螢光色素を付着させたスケールにレーザー光を照射し，そのスポットサイズを計測することにより行うことができる。またパルスエネルギーの調整は，顕微鏡（４）の対物レンズ（４ａ）の出力部と検出部（２）とのエネルギーをジュールメーターを用いて測定し，パルスエネルギーを校正することにより行うことができる。」（３頁右下欄１〜１３行）
　
（刊１−３）「このようなエキシマレーザ装置を設けるに際しては，特に紫外域のレーザ光を発生するものが好ましい，従来の細胞プロセシング装置が可視域のレーザ光により細胞に熱損傷に基づく影響を与えていたのに対し，
紫外域のレーザー光によれば
細胞内微小器官の破壊や切断，異なる細胞の融合等の特異的な現象を起こす
　
（刊１−４）「
レーザ光照射部位微小位置決め装置部（Ｂ）において，３次元的な位置制御をできるようにして浮遊している細胞への照射等も容易に行えるようにする場合には，Ｚ軸方向を制御する超精密圧電素子モーター（５）を別途取付ければよい
　この発明の装置において，
画像処理装置部（Ｃ）は，たとえば第１図に示したように，顕微鏡（４）に取付けたカメラ（７），カメラ（７）でとらえた画像信号をカメラコントローラー（８）を介して入力するイメージプロセッサ（９），イメージプロセッサ（９）からの出力を受けるビデオ（１０）およびＴＶモニター（１１）等から構成する
　また，マイクロマニエビュレータを併用できるようにしてもよい。この画像処理装置部（Ｃ）はマイクロコンピュータ（Ｄ）と一体的に作動させることにより，従来の光学顕微鏡下でなされていた細胞プロセシングの限界を解消するものであり，たとえば，顕微鏡（４）により得た画像信号の実時間でのマイクロコンピュータ（Ｄ）への入力と保存，
細胞試料に対するレーザー光照射位置の指定
３次元グラフィックの形成などを可能とする
　
（刊１−５）「たとえば，
細胞試料のレーザー光照射部位の設定に関し，顕微鏡ステージ（４ｂ）上にセットし，マイクロコンピュータ（Ｄ）のモニターに映し出された細胞試料の核，仁，膜などの所望の部位をライトペン（１２）でプッシュすると，そのプッシュ位置に対応するＴＶモニター（１１）画像の部位にマーカーが表示され，その位置座標が読込まれるようにする。また，マイクロコンピュータ（Ｄ）は，読込んだ座標と固定してあるレーザー光照射位置の座標とから，ライトペン（１２）でプッシュした位置にレーザー光を照射するための顕微鏡ステージ（４ｂ）の移動距離を求め，その値をレーザ光照射部位微小位置決め装置部（Ｂ）に送り，顕微鏡ステージ（４ｂ）を移動させるようにする
　
（刊１−６）「なお，
レーザー光照射部位の指定をより高い分解能で行えるようにする場合には，マイクロコンピュータ（Ｄ）のモニターではなくＴＶモニター（１１）に映し出された細胞試料上の位置指定をテンキーの操作により行えるようにしてもよい
　
（刊１−７）「また，レーザー光の照射条件についても，マイクロコンピュータ（Ｄ）のキーボード等から予め照射条件を設定しておくことにより，レーザー装置部（Ａ）が所定の
レーザ光を自動的に集光し高
　
（刊１−８）「実施例３
　実施例２と同様にして，照射光パルスエネルギー１μＪ，照射光パルス数５００shot，パルス繰返周波数１００Ｈｚとして照射し，１時間後の細胞生存率と２４時間後の細胞増殖率を測定した。
　その結果，１時間後の細胞生存率はほとんど低下せず，２４時間後の細胞増殖率もほとんど変化が見られなかった。
　これにより，紫外域レーザ光を照射するこの発明によれば，細胞分裂に関与する細胞内小器官あるいは遺伝物質を有効に破壊できることが確認できた。」（７頁右上欄１５行〜同頁左下欄６行）
　
（刊１−９）「（発明の効果）
　この発明によれば，細胞試料を顕微鏡ステージにセットし，キーボードやライトペンを操作するだけで，マイクロコンピュータにより制御したレーザー光照射をミクロンオーダーで精密に行うことができ，生体細胞の保持，選別，切断，除去，移植，移入などの微細な細胞プロセシングを高精度に自動的に行うことが可能さなる。」（８頁右上欄１０〜１７行）
　
（刊１−１０）「実施例２
　第１図に示した装置を使用して，マウスの繊維芽細胞（L９２９）の核付近に紫外域レーザ光（波長３５５ｎｍ）を次のような照射条件で照射し，その際の１時間後の細胞生存率を測定した。
（ｉ）照射光パルスエネルギ−１μＪ，温度２３℃で照射光パルス繰返周波数を変えて照射したところ，細胞生存率は，照射光パルス繰返周波数には依存せず，全光エネルギーが５００μＪを超えた場合に顕著に低下し，１ｍＪまでにほとんどの細胞まが死滅または失活した。
（ｉｉ）温度２３℃で１shotの照射光パルスエネルギーを変えて照射したところ，細胞生存率はパルスエネルギーの増加に従って生存率低下し，パルスエネルギーが４μＪを超えると急激に低下した。
（ｉｉｉ）パルスエネルギ−１〜４μＪについて，パルス繰返周波数３５Ｈｚ，温度２３℃で照射光パルス数を変えて照射したところ，細胞生存率は，パルスエネルギ−１〜３μＪの場合は照射光パルス数が１００shotを超えると減少し，パルスエネルギーが４μＪの場合は１shotでも減少し，１００shotまでにほとんどの細胞が破壊されることがわかった。
　以上の（ｉ）〜（ｉｉｉ）の結果により，この発明の装置において上記の照射条件下で細胞プロセシングをする場合には，照射光パルス正ネルギーは３μＪ以下とし，その場合に照射光パルス数は１００shot程度以下とするのが好ましく，また全光エネルギーが０．５ｍＪを超えないようにするのが好ましいことが確認できた。」（７頁左上欄６行〜同頁右上欄１４行）
　
（刊１−１１）「遺伝子工学，生命工学，バイオテクノジー等の分野では，生体細胞の保持，選別，切断，除去，移植，移入などの微細操作を行う細胞プロセシングが非常に重要になってきている。
　このような細胞プロセシングの方法としては，従来よりウィルスＤＮＡの直接接触法，リン酸カルシウム・ホスフェート法，細胞融合法，プロトプラスト法等の化学的方法：微注入法，プリキング法等のマニュアル的方法（生物学的方法）；電気穿孔法，タングステン球照射法等の物理的方法が知られている。
　しかしながら，化学的方法は処理した細胞と使用した化学薬品とを分離する過程が非常に困難であり，また，高濃度の化学薬品を使用するために細胞を損傷して細胞に与える負の影響力が大きく，外来高分子の移入処理を施した場合に発現効率が極めて低い（１０−３〜１０−５）という問題点を有している。さらに，外来高分子の移入処理により何等かの発現が生じたものについても，それが外来高分子の影響によるものか化学薬品によるものかを判断することが非常に困難となっている。
　一方，微注入法等のマニュアル的方法においては，確実に移入処理を行うことができ，発現効率を１０−２程度にまで向上させることが可能となる。
　しかし，実施者が顕微鏡下でマイクロピペットなどを個々の細胞に直接接触させて処理するのでクリーンベンチ内での処理が必要不可欠となり，また処理の自動化も図ることができない。そのため処理効率や処理量が実施者の熟練度や労力に依存することとなり，精密な処理を短時間に多量に行うことが困難であるという問題点を有している。
　また，電気穿孔法等の物理的方法においては，短時間で多量の処理を行うこヒは可能であるが，細胞の特定部位に処理を施すこと，あるいは微細操作の処理効率を向上させることが困難であるという問題がある。」（１頁右下欄１４行〜２頁右上欄９行）
　
（刊１−１２）「たとえばレーザー光照射部位の指定のモードとして，第５図（ａ）のように，マイクロコンピュータ（Ｄ）のモニターに映し出された
細胞試料上の所望の部位を所望の数だけライトペン（１２）でプッシュして指定すると，その指定に従って順次顕微鏡ステージ（４ｂ）を移動させるランダムモード
　
（刊１−１３）「この発明の装置を使用して細胞プロセシングをする際の照射光パルス繰返周波数，照射光パルスエネルギー，照射光パルス数，スポットサイズなどの条件設定は，照射温度，細胞試料の培養液のｐＨ，細胞試料の種類や照射部位，照射目的等に応じて適宜設定する。ただし細胞生存率の低下を防止するため，通常は，照射光パルスエネルギーを３μＪ以下，特に１μＪ以下程度とするのが好ましい。４μＪを超えると細胞生存率が急激に低下する。また，照射光パルス数は，照射光パルスエネルギーが１〜３μＪの場合に１００shot程度以下とするのが好ましい，１００shotを超えると細胞生存率が減少する。なお，照射光パルス繰返周波数は，それ自体細胞生存率に影響しないが，全光エネルギーが０．５ｍＪを超えないようにするのが好ましい。」（６頁右上欄１８行〜同頁左下欄１３行）
　
（刊１−１４）　第１図
　
（刊１−１５）　第５図
　
（刊１−１６）「これまでにレーザ光を利用した細胞プロセシング方法としては，Ａｒレーザ光（４８８ｎｍ，５１４．５ｎｍ）のパルスをレンズ系で集光し，顕微鏡ステージの位置決め装置により細胞への照射部位を調整し，染色体，仁等の細胞の微小器官に照射する方法が提案されている。また，照射するレーザ光の波長を変化させると細胞に与える影響を変えることができるので，Ｈｅ−Ｃａレーザ（４４２ｎｍ），Ｎ２レーザ（３３７ｎｍ），Ｎｄ：ＹＡＧレーザの（基本波１．０６μｍ，高調波５３２，３５５，２６６ｎｍ）色素レーザ，を利用することも試みられている。」（１頁右上欄１８行〜同頁左下欄８行）
　
２　刊行物Ａ記載の事項
（刊Ａ−１）「Ｆ．細胞とスペシメンの準備
　図１のスペシメン１１４のごとき１例としてのスペシメンの一部が図２に示されている。図２は，
細胞セットと，特に細胞核（一般的に１１６で表示）で成る典型的なスペシメンの拡大イメージを図示している
　
（刊Ａ−２）「
連続スキャニングによるボリュームイメージングを使用したオートフォーカス
　本発明のオートフォーカス技術の速度は，顕微鏡で観察されているイメージ観察体のボリュームイメージを連続的に取得するボリュームイメージ装置で速まるであろう。
このイメージは垂直方向に並んだそれぞれの２次元イメージ平面にて取得されたイメージセットを含む。以降，このようなイメージを”ボリュームイメージ”あるいは”３次元イメージ”と呼称する
この実施例は，顕微鏡で検査されているイメージ観察体の一部のボリュームイメージが，（１）複数のイメージ装置であって，各々は複数の実質的に平行なイメージ平面のそれぞれのイメージ平面に配置されており，各イメージ平面は互のイメージ平面に関して特定な寸法で離れているも装置と，（２）複数の電子イメージ表示を形成する前記複数のイメージ装置にカップリングされたイメージ形成装置であって，各々の電子イメージ表示は複数のイメージ平面のそれぞれのイメージ平面でイメージを表す装置とを含んだ装置によって取得が可能であるという重要な発見に基づいている。」（５５頁１０〜２３行）
　
（刊Ａ−３）「
本発明のボリュームイメージ処理の光学原理は
イメージ形成顕微鏡平面（”イメージ観察体平面”）での最良フォーカスの合理的な垂直距離（数ミクロン）内に，隣接光学平面で成るフォーカスボリュームが存在するという考えに基づいている
　
図１４Ａにおいて
光パイプ（光ファイバー）のアレイ４７０が示されている。アレイ４７０の光パイプはＣＣＤカメラのアレイ４７４にカップリングされている。
他のイメージ平面に対して各イメージ平面が特定の方向（この実施例ではＺディメンション）に離れているような対応するイメージ平面のアレイを定義する
イメージ平面Ｚnはイメージ平面Ｚ1とＺ2から垂直下方向に離れている
　すなわち，各光パイプはイメージ装置を構成しており，各カメラはイメージ形成装置である。図１３に戻ると，
光パイプのアレイ４７０は図１３のボリュームイメージアレイ４３６に対応しており，ＣＣＤのアレイ４７４は図１３のカメラアレイ４３７に対応する
　
　
（刊Ａ−４）図１３
　
（刊Ａ−５）図１４
　
（刊Ａ−６）「
図１３のボリュームイメージプロセッサー４４２は３次元イメージを提供する多数の２次元イメージ表示を処理しなければならない
　　
　ここで，刊行物Ａには（刊Ａ−１）に「細胞セットと，特に細胞核」と記載されているように，細胞や細胞核を撮影対象とするものであることが記載されている。
　そして，（刊Ａ−２）に「このイメージは垂直方向に並んだそれぞれの２次元イメージ平面にて取得されたイメージセットを含む。以降，このようなイメージを”ボリュームイメージ”あるいは”３次元イメージ”と呼称する。」と記載されているように，２次元イメージ平面にて取得されたイメージセットを３次元イメージとするものである。
　その３次元イメージ処理，すなわち，ボリュームイメージ処理の原理は，（刊Ａ−３）に「本発明のボリュームイメージ処理の光学原理は，図１４Ａと図１４Ｂを参照すれば理解されよう。ボリュームイメージ処理は，イメージ形成顕微鏡平面（”イメージ観察体平面”）での最良フォーカスの合理的な垂直距離（数ミクロン）内に，隣接光学平面で成るフォーカスボリュームが存在するという考えに基づいている。」と記載されている。ここに記載の隣接光学平面で成るフォーカスボリュームが存在するとは，フォーカスとは焦点のことであるから，焦点の合わされた隣接光学平面からなる体積が存在するということを意味しており，「垂直方向に並んだそれぞれの２次元イメージ平面」，すなわち，そのような隣接光学平面が垂直方向に並んでいると理解される。
　この原理に従う具体例として，「端部４７３はイメージ平面Ｚ1にポジションされており，端部４７７は第２イメージ平面Ｚ2にポジションされている。図１４Ｂは，ｎ本の光パイプに対して，光パイプ第１端部のステップされて実質的に軸方向であるアレイが，他のイメージ平面に対して各イメージ平面が特定の方向（この実施例ではＺディメンション）に離れているような対応するイメージ平面のアレイを定義する。よって，イメージ平面Ｚ1はイメージ平面Ｚ2から垂直上方向に離れている。イメージ平面Ｚnはイメージ平面Ｚ1とＺ2から垂直下方向に離れている。」（（刊Ａ−３）参照）と記載されており，イメージ平面Ｚが垂直上下方向に並んで配置されるようにされた装置が記載されている。そして，そのイメージは，「光パイプ（光ファイバー）のアレイ４７０が示されている。アレイ４７０の光パイプはＣＣＤカメラのアレイ４７４にカップリングされ」（（刊Ａ−３）参照）ているように，ＣＣＤカメラのアレイ４７４，すなわち，複数のＣＣＤカメラで撮影がなされるように構成されている。
　
３　刊行物Ｂ記載の事項
（刊Ｂ−１）「【０００８】また，
最近はテレビ画像処理の一つであるいわゆるデジタルコンフォーカルによる３次元像の構築が行われるようになってきている
【０００９】例えば，
細胞のように厚みのある標本で３次元像を構築する場合，先ずレボルバを光軸方向に移動させることにより標本の第１面を
次に，第２面はレボルバを光軸方向に移動させ第１面と同様に視野絞りが投影されるように光学的調整を行い，第２面を光学切片像としてテレビカメラにて撮影する。
同様にして厚みのある標本の各面をテレビカメラにて撮影して３次元像を構築する
　
４　刊行物Ｃ記載の事項
（刊Ｃ−１）「【０００３】ところで近年，上記のような機能を有する正立型顕微鏡においても，テレビ画像のデジタル画像処理の一つである，いわゆる
デジタルコンフォーカルによる三次元像の構築が行われるようになってきた
焦点面のみの光学切片像を得る。そして，顕微鏡のステージを間欠的に光軸方向に移動すること（ステージ走査）により，ステージ上に保持・固定した標本も間欠的に光軸方向へ送り，所定寸法間隔で順次焦点面に位置する標本の部分に対する光学切片像を撮像し，これら複数の光学切片像を処理して最終的に三次元像を構築する
　
５　刊行物Ｄ記載の事項
（刊Ｄ−１）「【請求項３】
蛍光物質で染色された蛍光試料を
該スポット光の焦点位置をＺ方向に変化させることによって複数の異なる観察位置の前記画像データを取得するレーザ顕微鏡
前記画像データから蛍光部分を抽出する手段と，
抽出された蛍光部分の平均輝度を算出する平均輝度算出手段と，
この平均輝度算出手段によって算出された平均輝度から，取得された複数の画像データから選ばれた基準となる画像データに対する補正係数を算出する手段と，
各画像データに対してそれぞれ算出された補正係数をもとに輝度補正を行なう手段とを具備してなることを特徴とするレーザ顕微鏡。」
　
（刊Ｄ−２）「【００１１】また，
深さ方向つまり３次元情報が必要な場合は，Ｚ走査駆動部１２０により，所望のＺ位置へ移動させ，必要な画像を順次記憶部１１４に構築させる。これにより，３次元画像の表示，観察も可能となる
　
（刊Ｄ−３）「【００４０】一方，
ＸＹＺ方向の３次元画像を取得したい場合，Ｚ走査駆動部１２０にて顕微鏡ステージの位置（高さ）Ｚを所望のステップで移動させ，各観察位置ごとにＸＹ画像を取得し，最終的に３次元画像を構築する。構築された３次元画像は，記憶部１１４にて記憶される
　
６　刊行物Ｅ記載の事項
　翻訳は，当審によるものである。
（刊Ｅ−１）「A method is presented to remove contaminating tumor cells from a cell population. The method includes labeling individual tumor cells in the population and then killing them with a high energy laser beam. The laser is focused so that it specifically kills the identified tumor cell, but not the remaining cells in the population.」（１頁Abstractの欄）
（当審訳）
「方法は，細胞集団から混ざっている腫瘍細胞を取り除くことを提供する。本方法は，集団中の個々の腫瘍細胞をラベルすること，それから腫瘍細胞を高いエネルギーレーザビームで殺すことを含む。
レーザは，同定された腫瘍細胞を特異的に殺すが，集団の残存細胞を殺さないように集光される
　
（刊Ｅ−２）「Software that is running on the computer 12 captures the images that are transmitted through cable 14 from the camera 16. If a set of labeled cells are placed in the dish 30, then the camera 16 will record a picture of the labeled cells. As discussed above, the cells can be illuminated with the broad-band light source 40. By overlaying a two-dimensional grid on top of the picture gathered by the computer, the software can determine the X/Y coordinates of the cells that are labeled by looking for dark spots that are one cell width in diameter. The software then calculates the Cartesian coordinates of the labeled cells and specifically aims the laser 34 to those coordinates. By emitting a short, high-energy pulse, the laser can selectively kill each of the labeled cells and not damage any of the non-labeled cells. 
　The computer system 12 can also have sensors that detect fluorescent signals from stained tumor cells and then calculate the coordinate position of the first tumor cell to destroy. The computer system then aims a focused energy source, such as a laser or electronic beam, at the calculated position of the first tumor cell. The targeted tumor cell is thereby specifically destroyed within the non-tumor cell population. This is facilitated by the fact that the target cell is substantially stationary during the procedure. 」（明細書８頁４〜１６行）
（当審訳）
「
コンピューター１２上で起動するソフトウェアはカメラ１６からケーブル１４を通して移送された映像を捕らえる
ソフトウェアは，直径において１つの細胞幅である暗い点を探すことでラベルした細胞のX/Y座標を決定することができる。それから，ソフトウェアは，ラベルした細胞のデカルト座標を計算し，それらの座標へレーザ３４を特異的に狙いをつける。短い高エネルギーパルスを放射することによって，レーザは，選択的に各ラベル細胞を殺すことができ，どの非ラベル細胞も害を与えない
　コンピューター１２は，染色した腫瘍細胞由来の蛍光信号を検出するセンサーも有し，それから破壊すべき最初の腫瘍細胞の座標位置を計算することができる。それからコンピューターシステムは，最初の腫瘍細胞の計算した位置でレーザ，電子ビームなどの集束エネルギー源に向けられる。これによって，標的腫瘍細胞は，非腫瘍細胞集団内で特異的に破壊される。これは，本手順の間，標的細胞が実質的に静止していることで促進される。」（対応日本出願の公開公表１６頁下から４行〜１７頁１２行参照）
　
第５　刊行物１記載の発明
１　摘記（刊１−５）記載の事項
刊行物１には，（刊１−５）に「たとえば，細胞試料のレーザー光照射部位の設定に関し，顕微鏡ステージ（４ｂ）上にセットし，マイクロコンピュータ（Ｄ）のモニターに映し出された細胞試料の核，仁，膜などの所望の部位をライトペン（１２）でプッシュすると，そのプッシュ位置に対応するＴＶモニター（１１）画像の部位にマーカーが表示され，その位置座標が読込まれるようにする。また，マイクロコンピュータ（Ｄ）は，読込んだ座標と固定してあるレーザー光照射位置の座標とから，ライトペン（１２）でプッシュした位置にレーザー光を照射するための顕微鏡ステージ（４ｂ）の移動距離を求め，その値をレーザ光照射部位微小位置決め装置部（Ｂ）に送り，顕微鏡ステージ（４ｂ）を移動させるようにする。」という工程が記載されている。
　
２　紫外域のレーザー光による細胞内微小器官の破壊等について
　摘記（刊１−３）に「このようなエキシマレーザ装置を設けるに際しては，特に紫外域のレーザ光を発生するものが好ましい，従来の細胞プロセシング装置が可視域のレーザ光により細胞に熱損傷に基づく影響を与えていたのに対し，
紫外域のレーザー光によれば
細胞膜への可逆的な穿孔の形成
細胞内微小器官の破壊や切断，異なる細胞の融合等の特異的な現象を起こす
　そして，それにより，「特異な現象」として，細胞内微小器官の破壊に加えて，その切断や，細胞内微小器官以外にも異なる細胞の融合や細胞膜への可逆的な穿孔の形成を起こすことができるものである。
　これらをまとめると，紫外域のレーザー光により光化学的作用に基づく影響を与えて細胞内微小器官の破壊等ができることと理解される。
　
３　レーザーの集光について
　摘記（刊１−７）に「また，レーザー光の照射条件についても，マイクロコンピュータ（Ｄ）のキーボード等から予め照射条件を設定しておくことにより，レーザー装置部（Ａ）が所定の
レーザ光を自動的に集光し
　
４　マイクロコンピュータ（Ｄ）のモニターについて
　摘記（刊１−６）に，「なお，レーザー光照射部位の指定をより高い分解能で行えるようにする場合には，
マイクロコンピュータ（Ｄ）のモニターではないＴＶモニター（１１）に映し出された細胞試料上の位置指定をテンキーの操作により行えるようにしてもよい
　そうすると，上記（刊１−５）記載の「マイクロコンピュータ（Ｄ）のモニターに映し出された細胞試料の核，仁，膜などの所望の部位をライトペン（１２）でプッシュする」ことに代えて，「ＴＶモニター（１１）に映し出された細胞試料の核，仁，膜などの所望の部位をテンキー操作により位置指定する」態様が記載されているといえる。
　また，そのような態様にした場合は，上記（刊１−５）の「そのプッシュ位置に対応するＴＶモニター（１１）画像の部位にマーカーが表示され，その位置座標が読込まれるようにする。また，マイクロコンピュータ（Ｄ）は，読込んだ座標と固定してあるレーザー光照射位置の座標とから，ライトペン（１２）でプッシュした位置にレーザー光を照射するための顕微鏡ステージ（４ｂ）の移動距離を求め」るという事項の「プッシュ」は，テンキー操作に置き換えられるから，「そのテンキー操作位置に対応するＴＶモニター（１１）画像の部位にマーカーが表示され，その位置座標が読込まれるようにする。また，マイクロコンピュータ（Ｄ）は，読込んだ座標と固定してあるレーザー光照射位置の座標とから，テンキー操作した位置にレーザー光を照射するための顕微鏡ステージ（４ｂ）の移動距離を求め」ることとなる。
　
５　ＴＶモニター（１１）について
　摘記（刊１−４）に「画像処理装置部（Ｃ）は，たとえば第１図に示したように，顕微鏡（４）に取付けたカメラ（７），カメラ（７）でとらえた画像信号をカメラコントローラー（８）を介して入力するイメージプロセッサ（９），イメージプロセッサ（９）からの出力を受けるビデオ（１０）およびＴＶモニター（１１）等から構成する」と記載されており，上記（刊１−５）記載の「ＴＶモニター（１１）」は，画像処理装置部（Ｃ）の一部であることが理解される。
　
６　照射光パルス数及び照射パルス繰返周波数について
　摘記（刊１−１３）に「この発明の装置を使用して細胞プロセシングをする際の照射光パルス繰返周波数，照射光パルスエネルギー，照射光パルス数，スポットサイズなどの条件設定は，照射温度，細胞試料の培養液のｐＨ，細胞試料の種類や照射部位，照射目的等に応じて適宜設定する。ただし細胞生存率の低下を防止するため，通常は，照射光パルスエネルギーを３μＪ以下，特に１μＪ以下程度とするのが好ましい。４μＪを超えると細胞生存率が急激に低下する。また，照射光パルス数は，照射光パルスエネルギーが１〜３μＪの場合に１００shot程度以下とするのが好ましい，１００shotを超えると細胞生存率が減少する。なお，照射光パルス繰返周波数は，それ自体細胞生存率に影響しないが，全光エネルギーが０．５ｍＪを超えないようにするのが好ましい。」と記載されている。この記載事項から所定の照射パルス繰返周波数で照射光パルスエネルギーが１〜３μＪの場合に１００shot程度以下とするのが好ましいことが理解される。
　
７　小括
　以上のことを総合すると，摘記（刊１−５）記載の事項に，上記「２」〜「６」記載の事項を加えて整理すると，刊行物１には，次の発明（以下，「刊行物１発明」という。）が記載されていると認められる。
「細胞試料に対し，紫外域のレーザー光により，光化学的作用に基づく影響を与えることで，細胞内微小器官の破壊等を起こす方法であって，
　顕微鏡（４）に取付けたカメラ（７），カメラ（７）でとらえた画像信号をカメラコントローラー（８）を介して入力するイメージプロセッサ（９），イメージプロセッサ（９）からの出力を受けるビデオ（１０）およびＴＶモニター（１１）から構成される画像処理部（Ｃ）を設け，
　顕微鏡ステージ（４ｂ）上にセットし，ＴＶモニター（１１）に映し出された細胞試料の核，仁，膜などの細胞内微小器官の所望の部位をテンキー操作により位置指定すると，
　そのテンキー操作位置に対応するＴＶモニター（１１）画像の部位にマーカーが表示され，その位置座標が読込まれるようにし，
　また，マイクロコンピュータ（Ｄ）は，読込んだ座標と固定してあるレーザー光照射位置の座標とから，テンキー操作した位置にレーザー光を照射するための顕微鏡ステージ（４ｂ）の移動距離を求め，その値をレーザ光照射部位微小位置決め装置部（Ｂ）に送り，顕微鏡ステージ（４ｂ）を移動させ，
　レーザー光は，マイクロコンピュータ（Ｄ）により集光が制御され，所定の照射パルス繰返周波数で照射光パルスエネルギーが１〜３μＪの場合に１００shot程度以下で照射される，
　細胞内微小器官の破壊等を起こす方法。」
　
第６　対比
　本願発明と刊行物１発明を対比する。
１　電磁放射について
　刊行物１発明の「紫外域のレーザー光」は，光は電磁波であるから，本願発明の「電磁放射」に相当する。
　
２　生物学的検体について
　刊行物１発明の「細胞試料」は，本願発明の「生物学的検体」に相当することは明白である。
　
３　所定の細胞に電磁的に影響を及ぼす方法について
（１）刊行物１発明の「紫外域のレーザー光」で破壊等される対象について
　摘記（刊１−３）によれば，刊行物１発明の「紫外域のレーザー光」によれば，「
細胞に
光化学的作用に基づく影響を与えることができ
　
（２）刊行物１発明の「紫外域のレーザー光」で起きる破壊等の現象について
　摘記（刊１−３）に「細胞膜への可逆的な穿孔の形成」，「細胞内微小器官の破壊に加えて，その切断」「異なる細胞の融合等」との記載もあるから，刊行物１発明の「破壊等」には穿孔の形成，切断，融合等も含まれると理解される。
　
　また，ここで「紫外域のレーザー光」で細胞に形成された「穿孔」は，摘記（刊１−１１）に「このような細胞プロセシングの方法としては，従来より
ウィルスＤＮＡ
　しかしながら，化学的方法は処理した細胞と使用した化学薬品とを分離する過程が非常に困難であり，また，高濃度の化学薬品を使用するために細胞を損傷して細胞に与える負の影響力が大きく，
外来高分子の移入処理を施した場合に
　一方，微注入法等のマニュアル的方法においては，確実に移入処理を行うことができ，発現効率を１０−２程度にまで向上させることが可能となる。
　しかし，実施者が顕微鏡下でマイクロピペットなどを個々の細胞に直接接触させて処理するのでクリーンベンチ内での処理が必要不可欠となり，また処理の自動化も図ることができない。そのため処理効率や処理量が実施者の熟練度や労力に依存することとなり，精密な処理を短時間に多量に行うことが困難であるという問題点を有している。
　また，
電気穿孔法等の物理的方法においては，短時間で多量の処理を行うこヒは可能であるが，細胞の特定部位に処理を施すこと，あるいは微細操作の処理効率を向上させることが困難であるという問題がある
との課題解決のために採用された手段であり，電気穿孔法と同様，外来高分子を導入することが可能な方法である。
　よって，刊行物１発明の「紫外域のレーザー光」で細胞に形成された穿孔により，外来高分子が導入されることは明白である。
　
（３）本願発明における細胞に電磁的影響について
　本願発明における「電磁的影響」には，平成２４年６月６日付け手続補正書により補正された特許請求の範囲の【請求項３】〜【請求項７】からみて，次のものが包含される。
「【請求項３】　前記電磁的影響は，死亡である，請求項１に記載の方法。
　【請求項４】　前記電磁的影響は，オプトインジェクションである，請求項１に記載の方法。
　【請求項５】　前記電磁的影響は，遺伝子発現の変更である，請求項１に記載の方法
。
　【請求項６】　前記電磁的影響は，蛍光である，請求項１に記載の方法。
　【請求項７】　前記電磁的影響は，イオンのアンケージングである，請求項１に記載の方法。」
　
　上記「（２）刊行物１発明の「紫外域のレーザー光」で起きる破壊等の現象について」で言及したように，刊行物１発明の「紫外域のレーザー光」で細胞に穿孔を形成することで，外来高分子の導入すれば，上記本願請求項４のオプトインジェクションに相当するものとなり，本願発明の「所定の細胞に電磁的に影響を及ぼす」ことに包含されるものとなる。
　また，摘記（刊１−８）に「これにより，紫外域レーザ光を照射するこの発明によれば，細胞分裂に関与する細胞内小器官あるいは
遺伝物質を有効に破壊できることが確認できた
　
　しかしながら，刊行物１発明が直接影響を及ぼしているのは，「核，仁，膜などの細胞内微小器官」であって，細胞に関するものではあるが，細胞自体ではない。
　
　そうすると，刊行物１発明の「細胞試料に対し，紫外域のレーザー光により，細胞内微小器官の破壊等を起こす方法」と，本願発明の「生物学的検体中の所定の細胞に電磁的に影響を及ぼす方法」とは，「生物学的検体中の所定の細胞構成物に電磁的に影響を及ぼす方法」という点で共通する。
　
４　二次元断面表示を得る工程について　
　刊行物１発明の「ＴＶモニター（１１）」に表示された画像は，ＴＶモニターの画面が二次元であるから少なくとも二次元画像であることは自明である。また，「イメージプロセッサ（９）からの出力を受けるビデオ（１０）およびＴＶモニター（１１）から構成される画像処理部（Ｃ）」とあるから，「ＴＶモニター（１１）」に表示された画像は，コンピュータを用いて取得された二次元画像であることは明白である。
　しかし，断面画像かどうかは不明であり，また該複数の断面二次元表示を取得するかも不明である。
　さらに，「ＴＶモニター（１１）に映し出された細胞試料の核，仁，膜などの細胞内微小器官の所望の部位をテンキー操作により位置指定する」作業が行われるから，「ＴＶモニター（１１）」に表示された画像に「細胞内微小器官」である「核，仁」が，テンキーを操作する操作者によって画像から認識されるものである。しかし，この認識は，コンピュータが認識するものではない。
　以上のことを総合すると，刊行物１発明の「顕微鏡（４）に取付けたカメラ（７），カメラ（７）でとらえた画像信号をカメラコントローラー（８）を介して入力するイメージプロセッサ（９），イメージプロセッサ（９）からの出力を受けるビデオ（１０）およびＴＶモニター（１１）から構成される画像処理部（Ｃ）を設け，
　顕微鏡ステージ（４ｂ）上にセットし，ＴＶモニター（１１）に映し出された細胞試料の核，仁，膜などの所望の部位をテンキー操作により位置指定すると，
　そのテンキー操作位置に対応するＴＶモニター（１１）画像の部位にマーカーが表示され，その位置座標が読込まれるように」するものと，本願発明の「（Ｉ）コンピュータを用いて，以下：
（ａ）該検体の複数の同一でない二次元断面表示を得る工程であって，該所定の細胞は該断面表示の少なくとも１つにおいて識別可能」とするものとは，「（ａ）検体の二次元表示を得る工程であって，該所定の細胞構成物は該表示において識別可能」である点で共通する。
　
５　細胞の識別について
　刊行物１発明は，「ＴＶモニター（１１）に映し出された細胞試料の核，仁，膜などの細胞内微小器官の所望の部位をテンキー操作により位置指定する」と「そのテンキー操作位置に対応するＴＶモニター（１１）画像の部位にマーカーが表示され，その位置座標が読込まれるよう」な作業が行われるものである。刊行物１発明は，「ＴＶモニター（１１）」に表示された画像から，「細胞内微小器官」である「核，仁」が，テンキーを操作する操作者によって認識されるものであるが，刊行物１には，具体的に，核，仁といった細胞内微小器官を「ＴＶモニター（１１）」に表示された画像からどのように識別するか明記おらず，画像から得られる何らかの特徴により識別されている程度のことしか分からない。また，操作者によって識別されるからコンピュータが識別するものでもない。
　そうすると，刊行物１発明の「ＴＶモニター（１１）に映し出された細胞試料の核，仁，膜などの所望の部位をテンキー操作により位置指定する」ことと，本願発明の「（Ｉ）コンピュータを用いて」「該所定の細胞は，選択マーカーまたは形態学的特徴の存在または非存在により識別可能である」こととは，「所定の細胞構成物は，何らかの特徴により識別可能である」である点で共通する。
　
６　三次元表示を作成する工程について
　刊行物１発明は，本願発明の「（Ｉ）コンピュータを用いて」「（ｂ）該複数の断面二次元表示を組み合わせて，該検体の三次元表示を作成する工程」を具備していない。
　
７　位置決めする工程について
　刊行物１発明は，上記「３　細胞の識別について」で言及したように，テンキーの操作者が「ＴＶモニター（１１）に映し出された」画像により「所望の部位」の位置を指定するものであり，コンピュータにより位置の指定がなされるものではないし，画像は，三次元表示されるようなものでもない。
　そうすると，刊行物１発明の「ＴＶモニター（１１）に映し出された細胞試料の核，仁，膜などの細胞微小器官の所望の部位をテンキー操作により位置指定する」ことと，本願発明の「（Ｉ）コンピュータを用いて」「（ｃ）該三次元表示に基づいて，該所定の細胞を三次元にて位置決めする工程を行う工程」とは，「（ｃ）該表示に基づいて，所定の細胞構成物を位置決めする工程を行う工程」という点で共通する。
　
８　焦点体積について
　刊行物１発明は「レーザー光は，マイクロコンピュータ（Ｄ）により集光が制御される」ものであるから，レーザー光が集光，すなわち，焦点を合わされていることは明白である。また，集光されれば刊行物１発明の「細胞試料」内に存在する「細胞内微小器官の破壊」が生じるから，「レーザー光」の「集光」に伴い，破壊を生じる体積空間，すなわち，焦点体積といえる空間が生じることとなることは明らかである。
　そうすると，刊行物１発明の「レーザー光は，マイクロコンピュータ（Ｄ）により集光が制御される」工程は，本願発明の「焦点体積に対して電磁放射の焦点を合わせる工程」に相当する。
　
９　焦点体積内に配置される細胞について
　刊行物１発明は，「レーザー光により，細胞内微小器官の破壊を起こす」ものであるから，焦点体積内に配置されるのは細胞内微小器官である。これに対して，本願発明は，「該所定の細胞」が「該焦点体積内に配置」されるものである。
　そうすると，刊行物１発明の「レーザー光により，細胞内微小器官の破壊を起こす」ことと，本願発明の「該検体中の該所定の細胞は，該焦点体積内に配置され」ることとは，「所定の細胞構成物は，該焦点体積内に配置され」る点で共通する。
　
１０　細胞への影響について
　刊行物１発明の「レーザー光」は「所定の照射パルス繰返周波数で照射光パルスエネルギーが１〜３μＪの場合に１００shot程度以下で照射される」ものである。刊行物１の摘記（刊１−８）には，細胞に与える影響について，「照射光パルスエネルギー１μＪ，照射光パルス数５００shot，パルス繰返周波数１００Ｈｚとして照射し，１時間後の細胞生存率と２４時間後の細胞増殖率を測定した。その結果，
１時間後の細胞生存率はよほとんど低下せず，２４時間後の細胞増殖率もほとんど変化が見られなかった
　これにより，紫外域レーザ光を照射するこの発明によれば，
細胞分裂に関与する細胞内小器官あるいは遺伝物質を有効に破壊できる
　この結果からみて，刊行物１発明においては，破壊された細胞内微小器官以外には，影響がほとんど無いということができるから，細胞内小器官に集光され，この集光された体積のみに破壊が起きていることは明白である。
　よって，刊行物１発明の「マイクロコンピュータ（Ｄ）により集光」された「レーザー光」は，破壊対象となった細胞内微小器官以外には影響を与えないものであり，本願発明の「該焦点体積内の放射は，該焦点体積内の該検体中の該所定の細胞にのみ影響を及ぼし，該焦点体積内の該検体中の該所定の細胞は，影響を受けない検体により取り囲まれて」いるものとは，本願発明の「該焦点体積内の放射は，該焦点体積内の該検体中の該所定の細胞構成物のみ影響を及ぼし，該焦点体積内の該検体中の該所定の細胞構成物は，影響を受けない検体により取り囲まれて」いる点で共通する。
　
１１　電磁的に影響を及ぼされる部分およびその数について
　刊行物１発明の「レーザー光」の照射部位について，摘記（刊１−１２）に，
「たとえばレーザー光照射部位の指定のモードとして，第５図（ａ）のように，マイクロコンピュータ（Ｄ）のモニターに映し出された
細胞試料上の所望の部位を所望の数だけライトペン（１２）でプッシュして指定すると，その指定に従って順次顕微鏡ステージ（４ｂ）を移動させるランダムモード
と記載されている。刊行物１発明は，レーザー光照射部位の指定のモードとして，所望の部位を所望の数だけ指定すると，その指定に従って，複数の部位に向かって顕微鏡ステージを移動させ照射されるランダムモードを具備するものである。
　しかし，１分あたり，何個の部位を照射できるのか刊行物１には記載されていない。
　
　そうすると，刊行物１発明の「レーザー光」の照射部位と，本願発明の本願発明の「１分あたり，位置決めされた細胞を含有する該検体の少なくとも１０の別個の部分が，電磁的に影響を及ぼされる」ことは，「位置決めされた細胞構成物を含有する該検体の複数の別個の部分が，電磁的に影響を及ぼされる」点で共通する。
　
１２　小括
　以上のことから，両発明の間には，次の（一致点）並びに（相違点１）〜（相違点５）がある。
（一致点）
「生物学的検体中の所定の細胞構成物に電磁的に影響を及ぼす方法であって，以下の工程：
（Ｉ）以下：
（ａ）検体の二次元表示を得る工程であって，該所定の細胞構成物は該表示において識別可能であり，所定の細胞構成物が，何らかの特徴の存在または非存在により識別可能である，工程
（ｃ）該表示に基づいて，所定の細胞構成物を位置決めする工程を行う工程；ならびに，
（ＩＩ）該検体内の焦点体積に対して電磁放射の焦点を合わせる工程であって，所定の細胞構成物は，該焦点体積内に配置され，該焦点体積内の放射は，該焦点体積内の該検体中の該所定の細胞構成物のみ影響を及ぼし，該焦点体積内の該検体中の該所定の細胞構成物は，影響を受けない検体により取り囲まれており，位置決めされた該所定の細胞構成物を含有する該検体の複数の別個の部分が，電磁的に影響を及ぼされる，工程，
とを含む方法。」
　
（相違点１）所定の細胞構成物について
　「所定の細胞構成物」が，本願発明では「細胞」であるのに対して，刊行物１発明では「細胞内微小器官」であり，そして，それに伴い，[二次元表示において識別される対象]，[何らかの特徴の存在または非存在により識別可能される対象]，[位置決めをする対象]及び[焦点体積内中の対象]及び[位置決めされた対象]である所定の細胞構成物が，本願発明では「細胞」であるのに対して，刊行物１発明では「細胞内微小器官」となる点。
  
（相違点２）（ａ）工程における検体の二次元表示を得る工程の「識別」について
　所定の細胞構成物の識別が，本願発明では「選択マーカーまたは形態学的特徴の存在または非存在により識別可能」とされているのに対して，刊行物１発明では，ＴＶモニター（１１）に映し出された細胞内微小器官を識別しているものの，具体的な識別手段が不明である点。
　
（相違点３）（ａ）工程における「二次元断面表示」及び（ｂ）工程における「三次元表示」を作成する工程について
　検体を表示する画像表示が，本願発明では「（Ｉ）コンピュータを用いて」「（ａ）」工程で，「複数の同一でない二次元断面表示」を得るものであり，「（ｂ）該複数の断面二次元表示を組み合わせて，該検体の三次元表示を作成」しているのに対して，刊行物１発明では，二次元表示をするが，断面表示も三次元表示もなされていない点。
　
（相違点４）（ｃ）工程における位置決めする工程の位置決め方法について
　位置決めする工程が，本願発明では「（Ｉ）コンピュータを用いて」「（ｃ）該三次元表示に基づいて」，「三次元にて位置決めする工程を行う工程」であるのに対して，刊行物１発明では，三次元表示に基づく位置決めではなく，また，テンキーの操作者によって位置決めが為されている点。
　　
（相違点５）１分あたり，何個の検体の別個の部分が，電磁的に影響を及ぼされるかについて
　電磁的に影響を及ぼされる，位置決めされた細胞構成物を含有する該検体の複数の別個の部分が，本願発明では「１分あたり，位置決めされた細胞を含有する該検体の少なくとも１０の別個の部分」であるのに対して，刊行物１発明では複数の部位にレーザー照射がなされるものの１分当たりの数は不明な点。
　
第７　判断
１　（相違点１）について
　刊行物Ｅの摘記（刊Ｅ−１）に「方法は，細胞集団から混ざっている腫瘍細胞を取り除くことを提供する。本方法は，集団中の個々の腫瘍細胞をラベルすること，それから腫瘍細胞を高いエネルギーレーザビームで殺すことを含む。
レーザは，同定された腫瘍細胞を特異的に殺すが，集団の残存細胞を殺さないように集光される
　刊行物１発明は，摘記（刊１−３）に記載のように「紫外域のレーザー光によれば」，「細胞に熱的作用よりも光化学的作用に基づく影響を与えることができ」るものであり，「特に，核酸物質は紫外域に吸収があるので，ＤＮＡやＲＮＡ等に関与する細胞内小器官に対して細胞プロセシングを有利に行うことが可能となる。」とするもので，物質の波長吸収特性を利用して細胞に光化学的作用に基づく影響を与えるものである。
　細胞よりも更に小さい細胞内微小器官を破壊することができるものであるから，刊行物１発明において，細胞内微小器官に代えて，刊行物Ｅに記載の技術的事項を適用して細胞内微小器官より大きい細胞を破壊対象とすることで，（相違点１）に記載の本願発明の特定事項のごとく構成することは当業者が容易になし得たことといえる。
　
　また，それに伴い，[二次元表示において識別される対象]，[選択マーカーまたは形態学的特徴の存在または非存在により識別可能される対象]，[位置決めをする対象]，[焦点体積内中の対象]及び[位置決めされた対象]も，刊行物１発明の「細胞内微小器官」から，本願発明の特定事項のごとく「細胞」となる。
　
２　（相違点２）について
　刊行物１発明は，「ＴＶモニター（１１）に映し出された細胞試料の核，仁，膜などの細胞内微小器官の所望の部位を」操作者が「テンキー操作により位置指定する」ものである。ＴＶモニターに映し出された２次元画像から得られた情報により，細胞内微小器官が識別されるものであり，画像に含まれる色や形状といった情報に基づき識別がなされていると理解される。
　上記「１　（相違点１）について」で言及したように，刊行物１発明において，「細胞内微小器官」を本願発明の特定事項のごとく「細胞」とすることは容易になし得たことであって，形態学的特徴の存在または非存在を細胞の選別指標とすることは，例えば，下記刊行物Ｆに記載のように本願優先権主張日前から周知である。
　
　また，選択マーカーを使用することも，例えば，上記刊行物Ｅの摘記（刊Ｅ−２）に「
ソフトウェアは，直径において１つの細胞幅である暗い点を探すことでラベルした細胞のX/Y座標を決定することができる。それから，ソフトウェアは，ラベルした細胞のデカルト座標を計算し，それらの座標へレーザ３４を特異的に狙いをつける
　
　よって，刊行物１発明において，細胞微小器官を細胞とすると共に，その識別に上記周知の技術的事項を適用して，「選択マーカーまたは形態学的特徴の存在または非存在により識別可能」とする程度のことは，当業者が容易になし得たことといえる。
　
刊行物Ｆ：特開平１０−１８５９１１号公報
（刊Ｆ−１）「【要約】
【課題】  本発明は，
癌の発見等の目安となる，例えば小核等の染色体異常を有する異常細胞の検出・測定を自動定量化することで，精度と信頼性を向上させ，癌の早期発見をも可能とする極めて優れた細胞解析方法を提供する
【解決手段】  細胞を抽出して標本2 を作り，該標本2 をステージ部3 に配置して画像取り込み手段にて撮影し，その取り込み画像を計測用画像に変換して所定の測定を行い，測定されたデータと予めパターン認識がなされた複数の細胞におけるパターン情報とを照合して分類することで細胞の分析を施すことを特徴とする。」
　
（刊Ｆ−２）「【請求項１】  予め複数の細胞のパターン認識がなされた情報部(11)と，抽出された細胞の標本(2) を配置するステージ部(3) と，その標本を撮影する画像取り込み部(4) と，該取り込まれた画像を計測用画像に変換する画像処理部(9) と，処理された画像から所定の測定を行い，且つ測定されたデータと前記情報部(11)のパターン情報とを照合して分類する解析部(12)とから構成されてなることを特徴とする細胞解析装置。
【請求項２】  前記画像処理部(9) では，細胞質(6) 及び核(7) の色度，明度，彩度等の特異的な色情報を摘出してなる請求項１記載の細胞解析装置。
【請求項３】  
前記画像処理部(9) では，核(7) 及び小核(10)の個数と面積の測定が行われてなる
　
（刊Ｆ−３）「【００１８】尚，上記の如くＣＣＤカメラ等から，画像処理部９に画像を取り込む場合において，ＣＣＤカメラ等が映像信号をアナログ信号で出力している機種の場合には，取り込んだ映像信号をＡ／Ｄ（アナログ／デジタル）変換した後，該デジタルデータを画像データとしてセーブしても良く，又ＣＣＤカメラが映像信号をデジタル信号で出力している機種の場合には，そのままデジタルデータの取込み画像データとしてセーブしてもよい。
【００１９】前記操作にて，順番に画像がセーブされていくが，この際，例えば，図２で示すように，１つの標本２に座標データ15を記憶させておき，前記個々の画像がどのステージであるかがわかるように，その座標データに適合させて，ナンバーリングしていくと，後の処理がし易くなる。【００１９】前記操作にて，順番に画像がセーブされていくが，この際，例えば，図２で示すように，
１つの標本２に座標データ15を記憶させておき
　
　摘記（刊Ｆ−２）の【請求項３】に「核の個数や面積」といった形態的な特徴に基づき，摘記（刊Ｆ−１）の「異常細胞の検出・測定を自動定量化」がなされるものであり，得られた情報は，摘記（刊Ｆ−３）に，「１つの標本２に座標データ15を記憶させておき」と記載されていることから，座標データも取得されるものと理解される。
　　
３　（相違点３）について
　刊行物１の摘記（刊１−４）には，「レーザ光照射部位微小位置決め装置部（Ｂ）において，
３次元的な位置制御をできるようにして
　さらに，刊行物１の摘記（刊１−４）には，「この画像処理装置部（Ｃ）はマイクロコンピュータ（Ｄ）と一体的に作動させることにより，
従来の光学顕微鏡下でなされていた細胞プロセシングの限界を解消する
レーザー光照射位置の指定
３次元グラフィックの形成などを可能とする
　このことから，刊行物１には，マイクロコンピュータ（Ｄ）と一体的に動作する画像処理部（Ｃ）を，細胞試料に対するレーザー光照射の指定を可能に構成できる，及び，３次元グラフィックの形成などを可能に構成できるとの教示がなされている。
　
　複数の同一でない二次元断面表示を得て，該複数の断面二次元表示を組み合わせて，該検体の三次元表示を作成することは，刊行物Ａ〜Ｄに記載のように本願優先権主張日前から周知の技術的事項である。
　また，三次元表示をする際に，コンピュータを使用することは，本願優先権主張日前から周知の技術的事項である。例えば，刊行物Ａの図１３（摘記（刊Ａ−４）参照。）には，ボリュームイメージプロセッサーが記載されており，これは，摘記（刊Ａ−６）に「図１３のボリュームイメージプロセッサー４４２は３次元イメージを提供する多数の２次元イメージ表示を処理しなければならない。」と記されているように，三次元イメージ処理を司るものであって，プロセッサ，すなわち，コンピュータである。
　
　以上のことを総合すると，刊行物１には，「レーザ光照射部位微小位置決め装置部（Ｂ）において，３次元的な位置制御をできるよう」にすること，及び，３次元グラフィックの形成を可能とするものであるから，刊行物１発明において，３次元グラフィックの形成手段として，上記周知の複数の同一でない二次元断面表示を得て，該複数の断面二次元表示を組み合わせて，該検体の三次元表示を作成する技術的事項を採用し，コンピュータによりＴＶモニターに表示すべく構成することで，（相違点３）に記載の本願発明の特定事項のごとくすることは，当業者が容易になし得たことといえる。
　
４　（相違点４）について
　上記「３　（相違点３）について」で言及した刊行物１に記載の，マイクロコンピュータ（Ｄ）と一体的に動作する画像処理部（Ｃ）を，細胞試料に対するレーザー光照射の指定を可能に構成できる，及び，３次元グラフィックの形成などを可能に構成できるとの教示に従い装置を構成する場合，刊行物１発明の「ＴＶモニター（１１）に映し出された細胞試料の核，仁，膜などの細胞微小器官の所望の部位をテンキー操作により位置指定」も，二次元表示より情報量の多い三次元表示の方が正確でやりやすいことは言うまでもないことである。
　
　また，自動化はあらゆる分野で求められている課題であって，位置決めを自動化するのに必要なコンピュータを応用した細胞の画像識別手法も，上記刊行物Ｅの摘記（刊Ｅ−２）及び上記刊行物Ｆの摘記（刊Ｆ−１）〜（刊Ｆ−３）に記載されているように，本願優先権主張日前から周知であり，そのように構成することは，当業者にとって何の困難性もないことである。
　
　以上のことを総合すると，刊行物１に記載の３次元グラフィックの形成を可能とすべく構成することもできるとの示唆に基づき，刊行物１発明の「画像処理装置（Ｃ）」を，３次元グラフィック形成可能に構成すると共に「ＴＶモニター（１１）」に表示して細胞試料に対するレーザー光照射位置の指定を行うべく構成し，該レーザー光照射位置の指定に際して，指定すべき部位の抽出及び指定を自動化すべく，単に上記周知のコンピュータによる画像識別技術を採用することにより，本願発明のごとく「（Ｉ）コンピュータを用いて」「該三次元表示に基づいて」「三次元にて位置決めする工程を行う工程」とする程度のことは，当業者が容易になし得たことといえる。
　
５　（相違点５）について
　刊行物１発明の「レーザー光」の照射部位は，摘記（刊１−１２）に
「たとえばレーザー光照射部位の指定のモードとして，第５図（ａ）のように，マイクロコンピュータ（Ｄ）のモニターに映し出された
細胞試料上の所望の部位を所望の数だけライトペン（１２）でプッシュして指定すると，その指定に従って順次顕微鏡ステージ（４ｂ）を移動させるランダムモード
と記載されているように，所望の部位を所望の数だけ指定すると，その指定に従って，移動させ照射するものであるから，刊行物１発明は，本願発明のごとく別個の部分を照射することもできるものである。そして，刊行物１発明において全ての部位に対する照射時間は短い方が好ましいことは言うまでもないことであり，刊行物１発明において，１分間に少なくとも１０の別個の部分を照射すべく構成する程度のことは，当業者が適宜なし得る設計的事項にすぎない。
　
４　本願発明の効果について
　本願発明の効果は，刊行物１，刊行物Ｅ及び上記周知の技術的事項から当業者が予測し得るものであって，格別顕著なものとはいえない。　
　
第８　結語
　以上のとおり，本願発明は，本願出願前に頒布された上記刊行物１及び刊行物Ｅに記載された発明並びに周知の技術的事項に基づいて当業者が容易に発明をすることができたものであるから，特許法第２９条第２項の規定により特許を受けることができない。
　したがって，本願は，他の請求項に係る発明について検討するまでもなく拒絶すべきものである。
　よって，結論のとおり審決する。